【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  携帯用の電子機器において、
発電部と、
前記発電部により発電された電力を蓄電する電源部と、
前記電源部から供給される電力を用いて動作する電力消費部と、
前記発電部の発電量と所定のしきい値とを比較し、この比較結果に基づいて前記発電部の発電状態を検出する発電状態検出部と、
この発電状態検出部の検出結果に基づいて、前記電力消費部の動作を停止させる節電モード、および、前記電力消費部を動作させる動作モードとを切換制御する制御部と
を備え、前記発電状態検出部は、前記しきい値を前記節電モードと前記動作モードとで切り換え、
前記節電モードである場合のしきい値が、前記動作モードである場合のしきい値よりも大きく設定されている
ことを特徴とする電子機器。
【請求項２】  前記発電状態検出部は、
前記発電部の発電量が前記しきい値を超えたとき、前記発電部が発電状態にあると検出する
ことを特徴とする請求項１に記載の電子機器。
【請求項３】  前記発電状態検出部は、
前記発電部の発電量が前記しきい値を一旦超えると、予め定められた時間経過するまで、前記発電部が発電状態にある旨の検出結果を維持する
ことを特徴とする請求項２に記載の電子機器。
【請求項４】  前記発電状態検出部は、前記発電部の起電圧を、前記発電部の発電量として前記所定のしきい値と比較し、
前記節電モードである場合のしきい値で示される電圧が、前記動作モードである場合のしきい値で示される電圧よりも高く設定されている
ことを特徴とする請求項１に記載の電子機器。
【請求項５】  前記発電状態検出部は、前記発電部の発電電流を、前記発電部の発電量として前記所定のしきい値と比較し、
前記節電モードである場合のしきい値で示される電流が、前記動作モードである場合のしきい値で示される電流よりも大きく設定されている
ことを特徴とする請求項１に記載の電子機器。
【請求項６】  携帯用の電子機器において、
発電部と、
前記発電部により発電された電力を蓄電する電源部と、
前記電源部から供給される電力を用いて動作する電力消費部と、
前記発電部による発電の継続時間が所定の設定時間を超えたか否かを判断し、この判断結果に基づいて前記発電部の発電状態を検出する発電状態検出部と、
この発電状態検出部の検出結果に基づいて、前記電力消費部の動作を停止させる節電モード、および、前記電力消費部を動作させる動作モードとを切換制御する制御部と
を備え、前記発電状態検出部は、前記設定時間を前記節電モードと前記動作モードとで切り換え、
前記節電モードである場合の設定時間の期間が、前記動作モードである場合の設定時間の期間よりも長く設定されている
ことを特徴とする電子機器。
【請求項７】  請求項６に記載の電子機器において、さらに、
前記発電部による起電圧に基づく電荷を蓄電する容量素子と、
前記容量素子の放電経路に挿入され、前記容量素子に蓄電された電荷を放電する放電手段と、
を備え、
前記発電状態検出部は、前記容量素子の電圧が所定値を超えた期間を、前記発電の継続時間として計測する
ことを特徴とする電子機器。
【請求項８】  請求項７に記載の電子機器において、
前記発電部は、交流電力を発電するものであり、
さらに、前記発電部で発電された交流電力の周期に応じてスイッチングするスイッチング手段を有し、
前記容量素子は、前記スイッチング手段によるスイッチング動作に応じて電荷を蓄電する
ことを特徴とする電子機器。
【請求項９】  請求項１乃至８のうちいずれか１項に記載の電子機器であって、
前記電力消費部は、前記電源部から供給される電力を用いて時刻を表示する時刻表示部であり、
前記動作モードは、この時刻表示部に時刻表示させる表示モードである
ことを特徴とする計時装置。
【請求項１０】  発電部と、前記発電部により発電された電力を蓄電する電源部と、前記電源部から供給される電力を用いて動作する電力消費部とを有する電子機器の制御方法であって、
前記発電部の発電量と所定のしきい値とを比較し、
この比較結果に基づいて前記発電部の発電状態を検出し、
この検出結果に基づいて、前記電力消費部の動作を停止させる節電モード、および、前記電力消費部を動作させる動作モードとを切換制御し、
前記発電部の発電量と比較する前記所定のしきい値を、前記節電モードに切り換えたときには、前記動作モードにおけるしきい値よりも大きく設定する一方、前記動作モードに切り換えたときには、前記節電モードにおけるしきい値よりも小さく設定する
ことを特徴とする電子機器の制御方法。
【請求項１１】  発電部と、前記発電部により発電された電力を蓄電する電源部と、前記電源部から供給される電力を用いて動作する電力消費部とを有する電子機器の制御方法であって、
前記発電部による発電の継続時間が所定の設定時間を超えたか否かを判断し、
この判断結果に基づいて前記発電部の発電状態を検出し、
この検出結果に基づいて、前記電力消費部の動作を停止させる節電モード、および、前記電力消費部を動作させる動作モードとを切換制御し、
前記発電の継続時間を判断する際の設定時間を、前記節電モードに切り換えたときには、前記動作モードにおける設定時間よりも長く設定する一方、前記動作モードに切り換えたときには、前記節電モードにおける設定時間よりも短く設定する
ことを特徴とする電子機器の制御方法。
【請求項１２】  請求項１０または１１に記載の電子機器の制御方法であって、
前記電力消費部は、前記電源部から供給される電力を用いて時刻を表示する時刻表示部であり、
前記動作モードは、この時刻表示部に時刻表示させる表示モードである
ことを特徴とする計時装置の制御方法。
【手続補正２】
【補正対象書類名】明細書
【補正対象項目名】００３５
【補正方法】変更
【補正の内容】
【００３５】
[１−３−２：第２の検出回路]
図３において、第２の検出回路９８は、積分回路９８１、ゲート９８２、カウンタ９８３、デジタルコンパレータ９８４およびスイッチＳＷ２から構成されている。
まず、積分回路９８１はＭＯＳトランジスタ２、コンデンサ３、プルアップ抵抗４、インバータ回路５から構成されている。起電圧ＶｇｅｎがＭＯＳトランジスタ２のゲートに接続されており、起電圧ＶｇｅｎによってＭＯＳトランジスタ２はオン、オフ動作を繰り返し、コンデンサ３の充電を制御する。スイッチング手段を、ＭＯＳトランジスタで構成すればインバータ回路５も含めて、積分回路９８１は安価なＣＭＯＳ−ＩＣで構成できるが、これらのスイッチング素子、電圧検出手段はバイポーラトランジスタで構成しても構わない。プルアップ抵抗４は、コンデンサ３の電圧値Ｖ３を非発電時にＶｓｓ電位に固定するとともに、非発電時のリーク電流を発生させる役割がある。これは数十から数百ＭΩ程度の高抵抗値であり、オン抵抗が大きなＭＯＳトランジスタでも構成可能である。コンデンサ３に接続されたインバータ回路５によりコンデンサ３の電圧値Ｖ３を判定して、その判定結果に応じた検出信号Ｖｏｕｔを出力する。ここで、インバータ回路５の閾値は、第１の検出回路９７で用いられる設定電圧値Ｖｏよりもかなり小さな設定電圧値Ｖｂａｓとなるように設定されている。
【手続補正３】
【補正対象書類名】明細書
【補正対象項目名】００３６
【補正方法】変更
【補正の内容】
【００３６】
ゲート９８２には、パルス合成回路２２から供給される基準信号と検出信号Ｖｏｕｔが供給されている。したがって、カウンタ９８３は検出信号Ｖｏｕｔがハイレベルの期間、基準信号をカウントする。このカウント値はデジタルコンパレータ９８４の一方の入力に供給される。また、デジタルコンパレータ９８４の他方の入力には、設定時間に対応する設定時間値Ｔｏが供給されるようになっている。ここで、現在のモードが表示モードである場合にはスイッチＳＷ２を介して設定時間値Ｔａが供給され、現在のモードが節電モードである場合にはスイッチＳＷ２を介して設定時間値Ｔｂが供給されるようになっている。なお、スイッチＳＷ２は、設定値切換部９５によって制御される。
デジタルコンパレータ９８４は、検出信号Ｖｏｕｔの立ち下がりエッジに同期して、その比較結果を発電継続時間検出信号Ｓｔとして出力する。発電継続時間検出信号Ｓｔは、設定時間を越えた場合にハイレベルとなり、一方、設定時間を下回った場合にローレベルとなる。
【手続補正４】
【補正対象書類名】明細書
【補正対象項目名】００３８
【補正方法】変更
【補正の内容】
【００３８】
発電が停止すると起電圧ＶｇｅｎはＶｄｄレベルで安定するため、ＭＯＳトランジスタ２はオフした状態のままとなる。Ｖ３の電圧はコンデンサ３によってしばらくは保持され続けるが、プルアップ抵抗４によるわずかなリーク電流によってコンデンサ３の電荷が抜けるため、Ｖ３はＶｄｄからＶｓｓへ徐々に下がり始める。そしてＶ３がインバータ回路５の閾値を下回るとインバータ回路５’の出力である検出信号Ｖｏｕｔはハイレベルからローレベルに切り替わり、発電がされていないことの検出ができる（同図（ｄ）参照）。この応答時間はプルアップ抵抗４の抵抗値を変え、コンデンサ３のリーク電流を調整することで任意に設定可能である。
【手続補正５】
【補正対象書類名】明細書
【補正対象項目名】００４５
【補正方法】変更
【補正の内容】
【００４５】
さらに、本例の計時装置１においては、所定の起電圧Ｖｇｅｎが検出された場合と、所定の時間、継続して発電が行われた場合に発電が検出されたと判断するようにしている。したがって、ユーザーが携帯していない状態で節電モードになり、振動などの何らかの原因で偶然に発電が誘起されても、その起電圧が弱く、継続時間が短ければ表示モードに移行することはなく、エネルギーの浪費を防止できる。一方、表示モードにおいては、節電モードよりも設定値Ｖｏが低く設定されているので、検出対象となる起電圧Ｖｇｅｎが多少低くても起電圧が得られれば発電されていると判断される。このため、多少でも発電していれば時刻表示が継続して行われる。また、表示モードにおいては、発電継続時間Ｔｇｅｎの設定時間Ｔｏも短く設定されるので、短時間でも発電されていれば時刻表示が維持される。
【手続補正６】
【補正対象書類名】明細書
【補正対象項目名】００６６
【補正方法】削除
【補正の内容】